(57)【要約】無線デバイスを動作させる方法は、無線デバイスに広告を表示することを含む。さらに、この方法は、少なくとも１つの基準が満たされていることを無線デバイスのユーザに示すために、少なくとも１つの基準に基づいて、広告の表示を区別することを含む。サーバを動作させる方法は、少なくとも１つの基準を受信することを含む。さらに、この方法は、少なくとも１つの基準が満たされていることを無線デバイスのユーザに示すために、少なくとも１つの基準に基づいて、広告の表示を区別することを含む。さらに、この方法は、無線デバイスに表示するために、区別された広告を送信することを含む。
2014508963.tif 000002
【特許請求の範囲】
【請求項１】
無線デバイスを動作させる方法であって、
前記無線デバイスに広告を表示することと、
少なくとも１つの基準が満たされていることを前記無線デバイスのユーザに示すために、前記少なくとも１つの基準に基づいて前記広告の表示を区別することと、
を備える方法。
【請求項２】
前記少なくとも１つの基準は、前記広告に関連付けられた位置、または、前記広告に関連付けられた位置に対する前記無線デバイスの接近度のうちの少なくとも１つを含む、請求項１に記載の方法。
【請求項３】
前記広告に関連付けられた位置は、前記広告とともに受信された位置情報、または、ピア・トゥ・ピア無線ピア発見のうちの１つによって決定される、請求項１に記載の方法。
【請求項４】
ピア発見信号を受信することと、
前記受信したピア発見信号の電力を測定することによって、前記広告に関連付けられた位置に対する前記無線デバイスの接近度を判定することと、
をさらに備える請求項３に記載の方法。
【請求項５】
前記広告を受信することと、
前記広告に組み込まれた位置情報を、前記広告とともに受信することと、
前記受信した位置情報に基づいて、前記広告に関連付けられた位置を決定することと、
をさらに備える請求項３に記載の方法。
【請求項６】
前記無線デバイスの位置を決定することと、
前記決定された位置間の差分に基づいて、前記広告に関連付けられた位置に対する前記無線デバイスの接近度を判定することと、
をさらに備える請求項５に記載の方法。
【請求項７】
前記少なくとも１つの基準を送信することと、
前記少なくとも１つの基準に基づいて区別された広告を受信することと、ここで、前記区別することは、前記区別された広告を表示することを備える、
をさらに備える請求項１に記載の方法。
【請求項８】
前記少なくとも１つの基準を送信することと、
前記少なくとも１つの基準のうちのどれが満たされているかを示す情報を受信することと、ここで、前記区別することは、前記受信された情報に基づく、
をさらに備える請求項１に記載の方法。
【請求項９】
前記少なくとも１つの基準は、人口統計を含む、請求項１に記載の方法。
【請求項１０】
前記広告の表示を区別することは、前記少なくとも１つの基準が満たされている場合、特定のバナー、フレーム、背景色、フォント、または追加の画像を用いて前記広告を表示することを備える、請求項１に記載の方法。
【請求項１１】
前記少なくとも１つの基準は、ユーザ制御される、請求項１に記載の方法。
【請求項１２】
サーバを動作させる方法であって、
少なくとも１つの基準を受信することと、
前記少なくとも１つの基準が満たされていることを無線デバイスのユーザに示すために、前記少なくとも１つの基準に基づいて、広告の表示を区別することと、
前記無線デバイスで表示するために、前記区別された広告を送信することと、
を備える方法。
【請求項１３】
前記少なくとも１つの基準は、ピア・トゥ・ピア通信によって受信される、請求項１２に記載の方法。
【請求項１４】
前記少なくとも１つの基準は、前記広告に関連付けられた位置、または、前記広告に関連付けられた位置に対する前記無線デバイスの接近度のうちの少なくとも１つを含む、請求項１２に記載の方法。
【請求項１５】
前記広告に関連付けられた位置と、前記無線デバイスの位置とを決定することをさらに備え、
前記少なくとも１つの基準は、前記広告に関連付けられた位置に対する前記無線デバイスの接近度を含み、前記広告は、前記決定された位置間の差分に基づいて区別される、請求項１４に記載の方法。
【請求項１６】
前記少なくとも１つの基準は、人口統計を含む、請求項１２に記載の方法。
【請求項１７】
前記広告は、前記少なくとも１つの基準が満たされていることを前記無線デバイスのユーザに示すために、特定のバナー、フレーム、背景色、フォント、または追加の画像によって区別される、請求項１２に記載の方法。
【請求項１８】
無線通信のための装置であって、
前記装置に広告を表示するための手段と、
少なくとも１つの基準が満たされていることを前記装置のユーザに示すために、前記少なくとも１つの基準に基づいて前記広告の表示を区別する手段と、
を備える装置。
【請求項１９】
前記少なくとも１つの基準は、前記広告に関連付けられた位置、または、前記広告に関連付けられた位置に対する前記装置の接近度のうちの少なくとも１つを含む、請求項１８に記載の装置。
【請求項２０】
前記広告に関連付けられた位置は、前記広告とともに受信された位置情報、または、ピア・トゥ・ピア無線ピア発見のうちの１つによって決定される、請求項１８に記載の装置。
【請求項２１】
ピア発見信号を受信する手段と、
前記受信したピア発見信号の電力を測定することによって、前記広告に関連付けられた位置に対する前記装置の接近度を判定する手段と、
をさらに備える請求項２０に記載の装置。
【請求項２２】
前記広告を受信する手段と、
前記広告に組み込まれた位置情報を、前記広告とともに受信する手段と、
前記受信した位置情報に基づいて、前記広告に関連付けられた位置を決定する手段と、
をさらに備える請求項２０に記載の装置。
【請求項２３】
前記装置の位置を決定する手段と、
前記決定された位置間の差分に基づいて、前記広告に関連付けられた位置に対する前記装置の接近度を判定する手段と、
をさらに備える請求項２２に記載の装置。
【請求項２４】
前記少なくとも１つの基準を送信する手段と、
前記少なくとも１つの基準に基づいて区別された広告を受信する手段と、ここで、前記区別する手段は、前記区別された広告を表示する、
をさらに備える請求項１８に記載の装置。
【請求項２５】
前記少なくとも１つの基準を送信する手段と、
前記少なくとも１つの基準のうちのどれが満たされているかを示す情報を受信する手段と、ここで、前記区別することは、前記受信された情報に基づく、
をさらに備える請求項１８に記載の装置。
【請求項２６】
前記少なくとも１つの基準は、人口統計を含む、請求項１８に記載の装置。
【請求項２７】
前記広告の表示を区別する手段は、前記少なくとも１つの基準が満たされている場合、特定のバナー、フレーム、背景色、フォント、または追加の画像を用いて前記広告を表示する、請求項１８に記載の装置。
【請求項２８】
前記少なくとも１つの基準は、ユーザ制御される、請求項１８に記載の装置。
【請求項２９】
無線通信のための装置であって、
少なくとも１つの基準を受信する手段と、
前記少なくとも１つの基準が満たされていることを第２の装置のユーザに示すために、前記少なくとも１つの基準に基づいて、広告の表示を区別する手段と、
前記第２の装置で表示するために、前記区別された広告を送信する手段と、
を備える装置。
【請求項３０】
前記少なくとも１つの基準は、ピア・トゥ・ピア通信で受信される、請求項２９に記載の装置。
【請求項３１】
前記少なくとも１つの基準は、前記広告に関連付けられた位置、または、前記広告に関連付けられた位置に対する前記第２の装置の接近度のうちの少なくとも１つを含む、請求項２９に記載の装置。
【請求項３２】
前記広告に関連付けられた位置と、前記第２の装置の位置とを決定する手段をさらに備え、
前記少なくとも１つの基準は、前記広告に関連付けられた位置に対する前記第２の装置の接近度を含み、前記広告は、前記決定された位置間の差分に基づいて区別される、請求項３１に記載の装置。
【請求項３３】
前記少なくとも１つの基準は、人口統計を含む、請求項２９に記載の装置。
【請求項３４】
前記広告は、前記少なくとも１つの基準が満たされていることを前記第２の装置のユーザに示すために、特定のバナー、フレーム、背景色、フォント、または追加の画像によって区別される、請求項２９に記載の装置。
【請求項３５】
無線デバイスにおけるコンピュータ・プログラム製品であって、
前記無線デバイスに広告を表示することと、
少なくとも１つの基準が満たされていることを前記無線デバイスのユーザに示すために、前記少なくとも１つの基準に基づいて、前記広告の表示を区別することと、
のためのコードを備えるコンピュータ読取可能な媒体、
を備えるコンピュータ・プログラム製品。
【請求項３６】
無線デバイスにおけるコンピュータ・プログラム製品であって、
少なくとも１つの基準を受信することと、
前記少なくとも１つの基準が満たされていることを前記無線デバイスのユーザに示すために、前記少なくとも１つの基準に基づいて、広告の表示を区別することと、
前記無線デバイスで表示するために、前記区別された広告を送信することと、
のためのコードを備えるコンピュータ読取可能な媒体、
を備えるコンピュータ・プログラム製品。
【請求項３７】
無線通信のための装置であって、
前記装置に広告を表示し、
少なくとも１つの基準が満たされていることを前記装置のユーザに示すために、前記少なくとも１つの基準に基づいて前記広告の表示を区別する
ように構成された処理システム、
を備える装置。
【請求項３８】
無線通信のための装置であって、
少なくとも１つの基準を受信し、
前記少なくとも１つの基準が満たされていることを第２の装置のユーザに示すために、前記少なくとも１つの基準に基づいて、広告の表示を区別し、
前記第２の装置で表示するために、前記区別された広告を送信する
ように構成された処理システム、
を備える装置。
【発明の詳細な説明】
【技術分野】
【０００１】
本開示は、一般に、通信システムに関し、さらに詳しくは、基準を区別することに基づいて区別された広告の表示に関する。
【背景技術】
【０００２】
広告が、内容に基づいてユーザに配信されうる。この内容は、例えばユーザ人口統計のような準静的な基準、または、探索要求に入力された情報のような動的な基準に基づきうる。そのため、広告は、内容に基づいてユーザに適合されうる。当該技術分野では現在、広告に関連する情報をユーザに提供するために、このような広告を区別するニーズがある。
【発明の概要】
【０００３】
本開示の態様では、無線デバイス上に広告が表示される、無線デバイスを動作させる方法が提供される。さらに、広告の表示は、少なくとも１つの基準が満たされていることを無線デバイスのユーザに示すために、少なくとも１つの基準に基づいて区別される。
【０００４】
本開示の態様では、少なくとも１つの基準が受信される、サーバを動作させる方法が提供される。さらに、広告の表示は、少なくとも１つの基準が満たされていることを無線デバイスのユーザに示すために、少なくとも１つの基準に基づいて区別される。さらに、区別された広告が、無線デバイスで表示されるために送信される。
【図面の簡単な説明】
【０００５】
【図１】図１は、処理システムを適用する装置のためのハードウェア実装の例を例示する図解である。
【図２】図２は、無線ピア・トゥ・ピア通信システムの図解である。
【図３】図３は、典型的な方法を例示する図解である。
【図４】図４は、典型的な無線デバイスの第１の方法のフロー・チャートである。
【図５】図５は、典型的な無線デバイスの第２の方法のフロー・チャートである。
【図６】図６は、典型的な無線デバイスの第３の方法のフロー・チャートである。
【図７Ａ】図７Ａは、典型的な無線デバイスの第４の方法のフロー・チャートである。
【図７Ｂ】図７Ｂは、典型的な無線デバイスの第５の方法のフロー・チャートである。
【図８】図８は、典型的なサーバの第１の方法のフロー・チャートである。
【図９】図９は、典型的なサーバの第２の方法のフロー・チャートである。
【図１０】図１０は、典型的な無線デバイスの機能を例示する概念ブロック図である。
【図１１】図１１は、典型的なサーバの機能を例示する概念ブロック図である。
【発明を実施するための形態】
【０００６】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【０００７】
通信システムのいくつかの態様が、さまざまな装置および方法に対する参照を用いて表されうる。これらの装置および方法は、さまざまなブロック、モジュール、構成要素、回路、ステップ、処理、アルゴリズム等（集合的に「要素」と称される）によって、後述する詳細説明に記述されており、添付図面に例示される。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【０００８】
例として、要素、要素の任意の部分、または、要素の任意の組み合わせが、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。コンピュータ読取可能な媒体は、非一時的なコンピュータ読取可能な媒体でありうる。非一時的なコンピュータ読取可能な媒体は、例によれば、磁気記憶デバイス（例えばハード・ディスク、フロッピー（登録商標）ディスク、磁気ストリップ等）、光ディスク（例えば、コンパクト・ディスク（ＣＤ）、デジタル多用途ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、および、コンピュータによってアクセスされうる命令群および／またはソフトウェアを格納するためのその他任意の適切な媒体を含みうる。コンピュータ読取可能な媒体はさらに、一例として、搬送波、送信線、および、コンピュータによってアクセスされうる命令群および／またはソフトウェアを送信するためのその他任意の適切な媒体を含みうる。コンピュータ読取可能な媒体は、処理システムの内部に存在しうるか、処理システムの外部に存在するか、処理システムを含む複数のエンティティにわたって分散されうる。コンピュータ読取可能な媒体は、コンピュータ・プログラム製品内に組み込まれうる。例によれば、コンピュータ・プログラム製品は、パッケージング・マテリアル内にコンピュータ読取可能な媒体を含みうる。当業者であれば、システム全体に課せられる全体的な設計制約および特定のアプリケーションに依存して、本開示の全体にわたって示されている機能を、どうやって最良に実施するかを認識するだろう。
【０００９】
図１は、処理システム１１４を適用する装置１００のためのハードウェア実装の例を例示する概念図である。処理システム１１４は、一般にバス１０２によって表されるバス・アーキテクチャを用いて実現されうる。バス１０２は、全体的な設計制約および処理システム１１４の特定のアプリケーションに依存して、任意の数の相互接続バスおよびブリッジを含みうる。バス１０２は、一般にプロセッサ１０４によって表される１または複数のプロセッサと、一般にコンピュータ読取可能な媒体１０６によって表されるコンピュータ読取可能な媒体を含むさまざまな回路を共に接続する。バス１０２はさらに、例えば、タイミング・ソース、周辺機器、電圧制御装置、および電力管理回路のようなその他さまざまな回路をリンクしうる。これらは、当該技術分野で良く知られているので、さらなる説明はしない。バス・インタフェース１０８は、バス１０２とトランシーバ１１０との間にインタフェースを提供する。トランシーバ１１０は、送信媒体を介してその他さまざまな装置と通信するための手段を提供する。
【００１０】
プロセッサ１０４は、バス１０２の管理、および、コンピュータ読取可能な媒体１０６に格納されたソフトウェアの実行を含む一般的な処理を担当する。ソフトウェアは、プロセッサ１０４によって実行された場合、処理システム１１４に対して、特定の装置のために記載されたさまざまな機能を実行させる。コンピュータ読取可能な媒体１０６はまた、ソフトウェアが実行されている場合に、プロセッサ１０４によって操作されるデータを格納するためにも使用されうる。
【００１１】
図２は、典型的なピア・トゥ・ピア通信システム２００の図解である。
【００１２】
ピア・トゥ・ピア通信システム２００は、複数の無線デバイス２０６，２０８，２１０，２１２を含んでいる。ピア・トゥ・ピア通信システム２００は、例えば無線広域ネットワーク（ＷＷＡＮ）のようなセルラ通信システムとオーバラップしうる。無線デバイス２０６，２０８，２１０，２１２のうちのいくつかは、ピア・トゥ・ピア通信でともに通信しうる。いくつかは、基地局２０４と通信しうる。また、いくつかは、これら両方を行いうる。例えば、図２に図示されるように、無線デバイス２０６，２０８が、ピア・トゥ・ピア通信をしており、無線デバイス２１０，２１２が、ピア・トゥ・ピア通信をしている。無線デバイス２１２は、基地局２０４とも通信している。
【００１３】
無線デバイスはまた、当業者によって、ユーザ機器、移動局、加入者局、モバイル・ユニット、加入者ユニット、無線ユニット、無線ノード、遠隔ユニット、モバイル・デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。基地局はまた、当業者によって、アクセス・ポイント、基地トランシーバ局、ラジオ基地局、ラジオ・トランシーバ、トランシーバ機能、基本サービス・セット（ＢＳＳ）、拡張サービス・セット（ＥＳＳ）、ノードＢ、イボルブド・ノードＢ、またはその他いくつかの適切な用語で称されうる。
【００１４】
以下で説明される典型的な方法および装置は、例えば、ＩＥＥＥ  ８０２．１１規格に基づく、ＦｌａｓｈＬｉｎＱ、ＷｉＭｅｄｉａ、ブルートゥース、ＺｉｇＢｅｅ、またはＷｉＦｉに基づく無線ピア・トゥ・ピア通信システムのようなさまざまな無線ピア・トゥ・ピア通信システムのいずれかに適用可能である。説明を単純化するために、典型的な方法および装置が、ＦｌａｓｈＬｉｎＱのコンテキストで説明される。しかしながら、当業者であれば、これら典型的な方法および装置は、その他さまざまな無線ピア・トゥ・ピア通信システムに、より一般的に適用可能であることを理解するだろう。
【００１５】
図３は、典型的な方法を例示する図解３００である。図３に示されるように、無線デバイス３０４は、サーバ３０２と無線通信している。無線デバイス３０４は、グラフィックなテキスト／画像をユーザに表示するためのディスプレイ３０６を有する。典型的な方法によれば、無線デバイス３０４は、サーバ３０２から広告３０８を受信する。そして、１または複数の基準が満たされていることをユーザに示すために、１または複数の基準に基づいて区別された広告３０８を表示する。無線デバイス３０２は、１または複数の基準が満たされている場合、特定のバナー、フレーム、背景、色、フォント、テキスト、および／または追加の画像を用いて広告を表示することによって広告３０８を区別しうる。１または複数の基準は、人口統計、広告に関連付けられた位置、広告に関連付けられた位置に対する無線デバイス３０４の接近度（すなわち、無線デバイス３０４が、広告に関連付けられた位置にどれくらい近いのか）、および／または、ユーザのグループが分類されうるその他の基準を含みうる。例えば、広告が区別されうる追加の基準は、移動方向、速度、高度、湿度、温度、雑音、光強度、方位、または、無線デバイス３０４によって測定および／または決定されうるその他の基準を含みうる。人口統計は、性別、ジェンダー、人種、年齢、収入、疾病、（仕事のための移動時間、または、利用可能な車両の台数に関する）移動性、学歴、持ち家、雇用状況、および／または、グループのユーザが分類されうるその他の人口統計情報を含みうる。
【００１６】
無線デバイス３０４は、広告が区別されうるデータ／基準（例えば、人口統計情報）を収集するための基準格納／データ収集モジュール３１０を含む。無線デバイス３０４はさらに、広告が区別されうる環境条件を感知するための感知モジュール３１２を含む。環境条件は、ＧＰＳ位置、接近度、移動方向、速度、高度、湿度、温度、ノイズ、光強度、方位、および／または、無線デバイス３０４によって測定または決定されうるその他の基準を含みうる。無線デバイス３０４はさらに、視覚的な区別以外のその他の視覚的な出力によって広告を区別するための知覚出力モジュール３１４を含みうる。例えば、知覚出力モジュール３１４は、音響的に（音によって）、またはアクチュエータ動作に触れた感覚（例えば、振動）、表面の質感変化、温度変化、またはユーザの接触した感覚によりユーザへ信号を提供するその他の手段によって、広告を区別しうる。
【００１７】
例は、典型的な方法を最良に実施する。一例では、無線デバイス３０４は、無線デバイス３０４が当該可能性のあるアイテムへ接近していることを示すために、異なる背景色を用いて、無線デバイス３０４の（例えば、１／４マイル、または、例えばＦｌａｓｈＬｉｎＱ発見信号、ブルートゥース信号等のような信号の電力レベルのような絶対値によって決定された）ある距離内の店舗からの広告を表示しうる。別の例において、無線デバイス３０４は、広告が、２３乃至３２歳の女性向けである場合、または、広告のターゲット人口統計が、デバイスのユーザの人口統計に一致する（すなわち、２３乃至３２歳の女性である）場合、広告の上に赤い点を用いて広告を表示しうる。また別の例では、無線デバイス３０４は、例えば、無線デバイス３０４の現在の位置および方位に関する広告に関連付けられた方向および位置を示す矢印のような識別子を用いて広告を表示しうる。
【００１８】
サーバ３０２は、無線デバイス３０４が広告を区別するデータを広告とともに送信しうる。例えば、広告は、人口統計ターゲット、位置、および／または、無線デバイス３０４が広告を区別しうるその他の情報を含みうる。前述したように、無線デバイス３０４は、広告が受信または視聴された場合、視覚的に区別するのではなく、異なる音／音楽を出すことによって聴覚的に区別しうるか、あるいは、無線デバイス３０４内のアクチュエータによって物理的に区別しうる。あるいは、無線デバイス３０４は、広告との関連付けにおいて、１または複数の基準が満たされていることを示すために、例えば、知覚した別の触覚面を提供するような接触によって感知されるその他の手段によって区別しうる。
【００１９】
１または複数の基準は、ユーザ制御されうる。そのため、ユーザは、１または複数の基準が満たされていることをユーザに示すために、１または複数の基準に基づいて区別される広告を表示するように無線デバイス３０４を設定することができうる。例えば、ユーザは、３８歳であり無線デバイス３０４の１／５マイル内の店舗からのユーザに向けられた広告を青いフレームで、および、基準を満足しないその他すべての広告を黒いフレームで表示するように無線デバイス３０４を設定することができうる。
【００２０】
１または複数の基準が、広告に関連付けられた位置を含んでいる場合、この位置は、ピア・トゥ・ピア無線ピア発見によって、または、広告とともに受信された位置情報によって決定されうる。例えば、無線デバイス３０４は、広告に関連付けられた位置から送信されたピア発見信号を受信しうる。そして、この無線デバイスは、受信したピア発見信号の電力を測定することによって、広告に関連付けられた位置への無線デバイスの接近度を判定しうる。別の例については、無線デバイス３０４は、広告とともに組み込まれた位置情報を受信し、受信した位置情報に基づいて、広告に関連付けられた位置を判定しうる。無線デバイス３０４はその後、その位置を決定し、その後、決定された位置間の差分に基づいて、広告に関連付けられた位置に対する無線デバイス３０４の接近度を判定しうる。
【００２１】
無線デバイス３０４は、無線デバイス３０４だけで広告を区別するのではなく、サーバ３０２によって区別された広告を表示しうる。すなわち、無線デバイス３０４は、１または複数の基準をサーバ３０２へ送信し、１または複数の基準に基づいて区別された広告をサーバ３０２から受信し、区別された広告を表示しうる。無線デバイス３０４は、１または複数の基準を、ピア・トゥ・ピア通信を介してサーバ３０２へ送信しうる。１または複数の基準が、広告に関連付けられた位置に対する無線デバイス３０４の接近度を含んでいる場合、サーバ３０２は、無線デバイス３０４のそれぞれの位置および広告に関連付けられた位置を判定し、無線デバイス３０４が広告に関連付けられた位置に対して接近しているとの判定に基づいて、広告を区別しうる。
【００２２】
無線デバイス３０４は、１または複数の基準が満足されているか否かを判定するのではなく、１または複数の基準のうちのどれが満足されているのかに関する情報をサーバ３０２から受信しうる。このような構成では、無線デバイス３０４は、１または複数の基準をサーバ３０２へ送信し、サーバ３０２は、満足している１または複数の基準を判定し、満足している１または複数の基準を示す情報とともに、広告を送信する。このような構成では、無線デバイス３０４は、サーバ３０２から受信した情報に基づいて、広告をどのように区別するのかを決定する。例えば、広告を区別するために、無線デバイス３０４が、２３乃至３２歳の範囲であり、１／３マイル内にいる女性を含む、格納された基準を有していると仮定されたい。サーバ３０２は、ユーザが、広告に関連付けられた位置から１／４マイル内にいることと、この広告が、女性に向けられているものの、この広告のターゲット年齢範囲が４０乃至５０歳であると判定する。サーバ３０２は、接近度とジェンダー基準が満たされていることを示す情報を無線デバイス３０４へ送信する。無線デバイス３０４は、サーバ３０２からこの情報を受信し、３つのうちの２つの基準のみが満たされているという事実に基づいて、広告を区別するか否かを判定する。そのような構成では、ユーザは、基準のおのおのの重要度または重みスケールを設定することができ、無線デバイス３０４は、これら基準のおのおのの重要度または重みスケールに基づいて、これら基準のうちのいくつかが満たされていない場合に、広告を区別するか否かを確認することができうる。
【００２３】
図４は、典型的な無線デバイス３０４の第１の方法のフロー・チャート４００である。図４に示されるように、無線デバイス３０４は、無線デバイス３０４上に広告を表示する（４０２）。さらに、無線デバイス３０４は、少なくとも１つの基準が満たされていることを無線デバイス３０４のユーザに示すために、少なくとも１つの基準に基づいて、広告の表示を区別する（４０４）。少なくとも１つの基準は、広告に関連付けられた位置、または、広告に関連付けられた位置に対する無線デバイス３０４の接近度のうちの少なくとも１つを含みうる。広告に関連付けられた位置は、広告とともに受信された位置情報、または、ピア・トゥ・ピア無線ピア発見のうちの１つによって決定されうる。少なくとも１つの基準は、人口統計を含みうる。広告の表示を区別するために、少なくとも１つの基準が満たされている場合、無線デバイス３０４は、特定のバナー、フレーム、背景色、フォント、または追加の画像を用いて広告を表示しうる。少なくとも１つの基準は、ユーザ制御されうる。
【００２４】
図５は、典型的な無線デバイス３０４の第２の方法のフロー・チャート５００である。図５に示されるように、無線デバイス３０４は、ピア発見信号を受信する（５０２）。無線デバイス３０４は、受信したピア発見信号の電力を測定することによって、広告に関連付けられた位置に対する無線デバイス３０４の接近度を判定する（５０４）。無線デバイス３０４は、無線デバイス３０４上に広告を表示する（５０６）。無線デバイス３０４は、少なくとも１つの基準が満たされていることを無線デバイス３０４のユーザに示すために、少なくとも１つの基準に基づいて、広告の表示を区別する（５０８）。
【００２５】
図６は、典型的な無線デバイス３０４の第３の方法のフロー・チャート６００である。図６に示されるように、無線デバイス３０２は、広告と、この広告に組み込まれた位置情報とを受信する（６０２）。無線デバイス３０２は、受信した位置情報に基づいて、広告に関連付けられた位置を決定する（６０４）。無線デバイス３０４は、無線デバイス３０４上に広告を表示する（６０６）。無線デバイス３０４は、少なくとも１つの基準が満たされていることを無線デバイス３０４のユーザに示すために、少なくとも１つの基準に基づいて、広告の表示を区別する（６０８）。１つの構成では、無線デバイス３０４は、無線デバイス３０４の位置を決定し、決定された位置間の差分に基づいて、広告に関連付けられた位置に対する無線デバイス３０４の接近度を判定する。
【００２６】
図７Ａは、典型的な無線デバイス３０４の第４の方法のフロー・チャート７００である。図７Ａに示されるように、無線デバイス３０４は、サーバ３０２へ少なくとも１つの基準を送る（７０２）。無線デバイス３０４は、少なくとも１つの基準に基づいて区別された広告をサーバ３０２から受信する（７０４）。無線デバイス３０４は、無線デバイス３０４上に、この区別された広告を表示する（７０６）。
【００２７】
図７Ｂは、典型的な無線デバイス３０４の第５の方法のフロー・チャート７５０である。図７Ｂに示されるように、無線デバイス３０４は、サーバ３０２へ少なくとも１つの基準を送信する（７５２）。無線デバイス３０４は、少なくとも１つの基準のどれが満たされているのかを示す情報を受信する（７５４）。無線デバイス３０４は、受信した情報に基づいて広告を区別し、区別された広告を無線デバイス上に表示する（７５６）。
【００２８】
図８は、典型的なサーバ３０２の第１の方法のフロー・チャート８００である。図８に示すように、サーバ３０２は、少なくとも１つの基準を受信する（８０２）。さらに、サーバ３０２は、少なくとも１つの基準が満たされていることを無線デバイス３０４のユーザに示すために、少なくとも１つの基準に基づいて、広告の表示を区別する（８０４）。さらに、サーバ３０２は、区別された広告を、無線デバイス３０４上に表示するために送信する（８０６）。少なくとも１つの基準は、ピア・トゥ・ピア通信によって受信されうる。少なくとも１つの基準は、広告に関連付けられた位置、または、広告に関連付けられた位置に対する無線デバイス３０４の接近度のうちの少なくとも１つを含みうる。少なくとも１つの基準は、人口統計を含みうる。広告は、少なくとも１つの基準が満たされていることを無線デバイス３０４のユーザに示すために、特定のバナー、フレーム、背景色、フォント、または追加の画像によって区別されうる。
【００２９】
図９は、典型的なサーバの第２の方法のフロー・チャート９００である。図９に示されるように、サーバ３０２は、広告に関連付けられた位置に対する無線デバイス３０４の接近度を含む少なくとも１つの基準を受信する（９０２）。サーバ３０２は、広告に関連付けられた位置と、無線デバイス３０４の位置とを決定する（９０４）。サーバ３０２は、少なくとも１つの基準が満たされていることを無線デバイス３０４のユーザに示すために、少なくとも１つの基準に基づいて、広告の表示を区別する（９０６）。このため、広告は、決定された位置間の差分に基づいて区別される。サーバ３０２は、無線デバイス３０４上に表示するために、区別された広告を表示する（９０８）。
【００３０】
図１０は、典型的な無線デバイス３０４の機能を例示する概念ブロック図１０００である。無線デバイス３０４は、無線デバイス３０４上に広告を表示するモジュール１００２を含む。さらに、無線デバイス３０４は、少なくとも１つの基準が満たされていることを無線デバイス３０４のユーザに示すために、少なくとも１つの基準に基づいて、広告の表示を区別するモジュール１００４を含む。
【００３１】
図１１は、典型的なサーバ３０２の機能を例示する概念ブロック図１１００である。サーバ３０２は、少なくとも１つの基準を受信するモジュール１１０２を含む。さらに、サーバ３０２は、少なくとも１つの基準が満たされていることを無線デバイス３０４のユーザに示すために、少なくとも１つの基準に基づいて、広告の表示を区別するモジュール１１０４を含む。さらに、サーバ３０２は、無線デバイス３０２上に表示するために、区別された広告を送信するモジュール１１０６を含む。
【００３２】
図１に示すように、１つの構成では、無線通信のための装置１００は無線デバイス３０４であり、装置１００において広告を表示するための手段を含む。さらに、装置１００は、少なくとも１つの基準が満たされていることを装置１００のユーザに示すために、少なくとも１つの基準に基づいて、広告の表示を区別する手段を含む。装置１００はさらに、ピア発見信号を受信する手段と、受信されたピア発見信号の電力測定に基づいて、広告に関連付けられた位置に対する装置１００の接近度を判定する手段とを含みうる。装置１００はさらに、広告を受信する手段と、広告に組み込まれた位置情報を広告とともに受信する手段と、受信した位置情報に基づいて、広告に関連付けられた位置を決定する手段とを含みうる。装置１００はさらに、装置１００の位置を決定する手段と、決定された位置間の差分に基づいて、広告に関連付けられた位置に対する装置の接近度を判定する手段とを含みうる。装置１００はさらに、少なくとも１つの基準を送信する手段と、少なくとも１つの基準に基づいて区別された広告を受信する手段とを含みうる。このような構成では、区別する手段は、区別された広告を表示する。前述された手段は、前述された手段によって詳述された機能を実行するように構成された処理システム１１４である。
【００３３】
別の構成では、無線通信のための装置１００はサーバ３０２であり、少なくとも１つの基準を受信する手段と、少なくとも１つの基準が満たされていることを第２の装置のユーザに示すために、少なくとも１つの基準に基づいて広告の表示を区別する手段と、第２の装置における表示のために、区別された広告を送信する手段とを含む。装置１００はさらに、広告に関連付けられた位置と、第２の装置の位置とを決定する手段を含みうる。このような構成では、少なくとも１つの基準は、広告に関連付けられた位置に対する第２の装置の接近度を含み、広告は、決定された位置間の差分に基づいて区別される。前述された手段は、前述された手段によって詳述された機能を実行するように構成された処理システム１１４である。
【００３４】
開示された処理のステップの具体的な順序または階層は、典型的なアプローチの例示であることが理解される。設計選択に基づいて、これら処理におけるステップの具体的な順序または階層は、再構成されうることが理解される。同伴する方法請求項は、さまざまなステップの要素を、サンプル順で示しており、示された具体的な順序または階層に限定されないことが意味される。
【００３５】
前述した記載は、いかなる当業者であっても、ここで開示されたさまざまな態様を実現できるように提供される。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示されたいずれも、このような開示が請求項において明示的に述べられているかに関わらず、公衆に対して放棄されたものとは意図されていない。これら請求項要素が、「〜する手段」という文言を用いて明確に記載されていないのであれば、あるいは、方法請求項の場合に、「〜するステップ」という文言を用いて記載されていないのであれば、いずれの請求項要素も、３５Ｕ．Ｓ．Ｃ第１１２条第６パラグラフの下で解釈されるべきではない。
【図１】
2014508963.tif 000003
【図２】
2014508963.tif 000004
【図３】
2014508963.tif 000005
【図４】
2014508963.tif 000006
【図５】
2014508963.tif 000007
【図６】
2014508963.tif 000008
【図７Ａ】
2014508963.tif 000009
【図７Ｂ】
2014508963.tif 000010
【図８】
2014508963.tif 000011
【図９】
2014508963.tif 000012
【図１０】
2014508963.tif 000013
【図１１】
2014508963.tif 000014
【国際調査報告】
2014508963.tif 000015